(57)【特許請求の範囲】
【請求項１】
送信する原稿が印刷文字よりも濃度の濃い網点が下地となる下地原稿であるか普通原稿であるかを示す原稿モードを設定する設定手段と、送信する画像データの線密度を選択する線密度選択手段と、前記設定手段から入力される原稿モード信号が下地原稿に対応する値であって、かつ、前記線密度選択手段から入力される送信線密度信号がイメージスキャナの線密度より低い値の場合、解像性の強調度が弱い補正強度に切替える補正強度切替手段と、読取った原稿の画像データに対して前記補正強度に基づいて補正を行う補正手段とを備えることを特徴とするファクシミリ装置。
【請求項２】
前記補正強度切替手段は、複数種類の解像性の補正強度に関する設定値を予め保存した記憶手段を備えることを特徴とする請求項１記載のファクシミリ装置。
【発明の詳細な説明】
【０００１】
【発明の属する技術分野】
本発明は、送信する原稿が下地原稿であるか普通原稿であるかに応じて解像性の補正強度を切替えることができるファクシミリ装置に関する。
【０００２】
【従来の技術】
従来のファクシミリ装置では、レンズやイメージセンサの解像特性による画像のボケを改善するために、補正する画素とその隣接画素から演算して白から黒へ、または黒から白へ、変化する部分のエッジ強調処理を行うことが一般的に行われている。このような補正により、細かな線や点を読取ることができ、原稿に忠実な画像を得ることができる。
【０００３】
また、ＦＡＸ送信する場合、オペレータが線密度を選択できるのが一般的であり、設定が低密度の場合には読取素子の線密度を、送信する線密度に変換するため画素間引きを行うが、その際細線を保存するため、間引き画素が黒の場合にはこれを保存する処理を行っている。
【０００４】
このような従来のファクシミリ装置について、図面を参照して説明する。
図３は、従来のファクシミリ装置の全体構成を示すブロック図である。操作パネル３０１は、オペレータが各種操作を行うためのキー又はボタンを備える。オペレータは、操作パネル３０１のキー又はボタンを操作することによって、原稿送信時における線密度や原稿のモード、送信宛先等を設定する。イメージセンサ３０２は、原稿を読取って電気信号に変換する。
【０００５】
イメージセンサ３０２の出力信号は、解像補正処理部３０３で補正され、線密度変換部３０４に出力される。線密度変換部３０４では、入力された補正データに対し、操作パネル３０１から入力される送信線密度信号に応じて線密度変換を行うと共に、黒画素の保存を行う。この線密度変換された信号は、通信部３０５で外部回線に出力できる符号化データに変換され、外部回線への接続端子３０６から出力される。
【０００６】
【発明が解決しようとする課題】
しかし、従来のファクシミリ装置は、解像性の補正強度の設定値は固定されており、送信する原稿が下地原稿であるか普通原稿であるかに応じて補正強度を変更することができない。すなわち、図４に示すような自動車検査証等の印刷文字よりも濃度の濃い網点が下地となる原稿（以下、「下地原稿」という。）の場合は、イメージセンサ３０２でその下地を読取って、更に低密度に変換してＦＡＸ送信すると、黒保存処理が働く。その結果、受信者が受信した画像データを出力すると、原稿が全体的に黒ずんでしまい、本来の印刷文字が見えないという問題点がある。
【０００７】
本発明は、このような問題点に鑑みてなされたものであり、自動車検査証のような下地原稿であっても画像が黒ずむことなく読みやすい原稿を送信することができるファクシミリ装置を提供することを目的とする。
【０００８】
【課題を解決するための手段】
本発明は、送信する原稿が下地原稿であるか普通原稿であるかを示す原稿モードを設定し、この原稿モードに応じて解像性の補正強度を切替えて、この補正強度に応じて、読取った原稿の画像データに対する補正を行うことにより、下地原稿を送信する際は、解像性の補正強度を弱めることができ、下地原稿を送信する場合であっても文字部分を読みやすくすることができる。
【０００９】
【発明の実施の態様】
請求項１記載のファクシミリ装置の発明は、送信する原稿が印刷文字よりも濃度の濃い網点が下地となる下地原稿であるか普通原稿であるかを示す原稿モードを設定する設定手段と、送信する画像データの線密度を選択する線密度選択手段と、前記設定手段から入力される原稿モード信号が下地原稿に対応する値であって、かつ、前記線密度選択手段から入力される送信線密度信号がイメージスキャナの線密度より低い値の場合、解像性の強調度が弱い補正強度に切替える補正強度切替手段と、読取った原稿の画像データに対して前記補正強度に基づいて補正を行う補正手段とを備える構成を採る。
【００１０】
この構成により、送信する原稿のモードに応じて解像性の補正強度を切替えることができるため、例えば自動車検査証のような下地を有する特殊な原稿を送信する場合は、解像性の補正強度を抑えた状態で送信することができ、受信者は、読みやすい原稿を得ることができる。
【００１２】
また、送信する線密度に応じて解像性の補正強度を切替えることができるため、イメージスキャナの線密度より低い低線密度の送信では、解像性の補正強度を抑えた状態で送信することができる。従って、下地原稿を送信した場合でも、受信者は、読みやすい原稿を出力することができる。
【００１３】
また、請求項３記載の発明は、請求項１又は請求項２記載のファクシミリ装置の発明において、前記補正強度切替手段は、複数種類の解像性の補正強度に関する設定値を予め保存した記憶手段を備える構成を採る。
【００１４】
この構成により、補正強度を切替えるためには記憶手段から補正強度に関する設定値を読み込むだけで足りるため、簡単な回路構成で解像性の補正強度の切替を行うことができる。
【００１５】
以下、本発明の実施の形態について、図面を参照して説明する。
図１は、本発明の一実施の形態に係るファクシミリ装置の全体構成を示すブロック図である。本発明の一実施の形態に係るファクシミリ装置は、上記従来のファクシミリ装置と同様に、操作パネル３０１と、イメージセンサ３０２と、解像補正処理部３０３と、線密度変換部３０４と、通信部３０５と、外部回線への接続端子３０６とを備えている。
【００１６】
さらに、本発明の一実施の形態に係るファクシミリ装置は、線密度信号及び原稿モード信号が、操作パネル３０１から解像補正処理部３０３へ入力され、解像補正処理部３０３も、これに対応して構成されている。
【００１７】
解像補正処理部３０３は、操作パネル３０１から入力される送信線密度信号及び原稿モード信号に応じて解像性の補正強度を切替える解像性設定値セレクタ１０１と、この解像性設定値セレクタ１０１に対し通常の原稿に対する解像性設定値を出力する第一の解像性設定値出力回路１０２及び下地原稿に対する解像性設定値を出力する第二の解像性設定値出力回路１０３と、解像性設定値セレクタ１０１の出力に応じてイメージセンサ３０２の出力信号に対して実際に解像性の補正を行う解像性補正回路１０４とを備えている。
【００１８】
次に、以上のように構成された本発明の一実施の形態に係るファクシミリ装置の動作について説明する。
まず、オペレータは、送信原稿をセットし、操作パネル３０１で線密度、原稿モード、宛先等を設定してスタートキーを押す。ここで各種設定が確定し、送信線密度信号及び原稿モード信号が、操作パネル３０１から解像補正処理部３０３に入力される。また、送信線密度信号は、線密度変換部３０４にも出力される。イメージセンサ３０２は、原稿をライン単位で順次読取り、白は「０」、黒は「１」とした電気信号に変換し、これを解像補正処理部３０３に出力する。
【００１９】
解像補正処理部３０３では、操作パネル３０１から入力される送信線密度信号及び原稿モード信号に応じて、イメージセンサ３０２から入力される画像データに対して解像性の補正が行われる。すなわち、解像補正処理部３０３では、解像性設定値セレクタ１０１が、通常の原稿に対する解像性設定値又は下地原稿に対する解像性設定値のいずれか一方を、送信線密度信号及び原稿モード信号に応じて選択する。
【００２０】
ここで、原稿モード信号が下地原稿に対応する値であって、かつ、送信線密度信号がイメージスキャナの線密度より低い値の場合、解像性設定値セレクタ１０１は、下地原稿に対する解像性設定値を選択して解像性の強調度を弱くする。
【００２１】
次に、解像性補正回路１０４が、イメージセンサ３０２の出力信号に対し、解像性設定値セレクタ１０１の出力信号に基づいて所定の補正処理、例えば、エッジ強調処理等を行う。
【００２２】
ここで、図２を参照して、解像性の補正前後のデータ状態について説明する。車検証等のように下地を有する原稿をイメージセンサ３０２で読取ると、図２（ａ）に示すような出力データが得られる。この出力データに対して補正をする際に、通常の原稿に対するように解像性の強調度を強くすると、図２（ｂ）に示すように、下地部分が黒となって、受信者が受信データを出力すると、文字が読みにくくなってしまう。本実施の形態では、下地原稿を補正する際には、解像性の強調度を弱くすることができるため、図２（ｃ）に示すように、下地部分が黒くならず、受信者は、受信データを出力した際、文字を明瞭に読取ることが可能となる。
【００２３】
次に、線密度変換部３０４は、解像補正処理部３０３が出力する補正データに対し、操作パネル３０１から入力される送信線密度信号に応じて線密度変換する。ここで、送信線密度がイメージセンサ３０２より低密度の場合には、画素間引きを行って、読取素子の線密度を送信する線密度に変換する。その際、細線を保存するため、間引き画素が黒の場合には保存処理を行う。
【００２４】
線密度変換部３０４の出力信号は、通信部３０５に入力され、設定された宛先に対して外部回線への接続端子３０６を介して画像データが送信される。
【００２５】
上記の画像データを受信した受信者は、これをプリントアウトすることにより、画像データを得ることができるが、本発明の一実施の形態に係るファクシミリ装置によれば、自動車検査証のような特殊な原稿を送信する場合は、解像性の補正強度を抑えることができるため、受信した原稿が黒ずむことなく、受信者は、読みやすい原稿を得ることができる。
【００２６】
なお、本実施の形態では、操作パネル３０１から各送信動作ごとに下地原稿稿であるか否かの設定を行ったが、システム登録等によって半固定的に設定してもよい。
【００２７】
【発明の効果】
以上の説明から明らかなように、本発明によれば、送信する原稿のモードに応じて解像性の補正強度を切替えることができるため、例えば自動車検査証のような下地を有する特殊な原稿を送信する場合は、解像性の補正強度を抑えた状態で送信することができ、受信者は、読みやすい原稿を得ることができる。
【図面の簡単な説明】
【図１】本発明の一実施の形態に係るファクシミリ装置の全体構成を示すブロック図
【図２】上記一実施の形態に係るファクシミリ装置の解像性補正前後のデータを示す図
【図３】従来のファクシミリ装置の全体構成を示すブロック図
【図４】自動車検査証等のような下地原稿を示す図
【符号の説明】
１０１  解像性設定値セレクタ
１０２  第一の解像性設定値出力回路
１０３  第二の解像性設定値出力回路
１０４  解像性補正回路
３０１  操作パネル
３０２  イメージセンサ
３０３  解像補正処理部
３０４  線密度変換部
３０５  通信部
３０６  外部回線への接続端子
【図１】
0004098876.tif 000002
【図２】
0004098876.tif 000003
【図３】
0004098876.tif 000004
【図４】
0004098876.tif 000005